(57)【要約】【課題】  録画中にフレームレートを変更する。【解決手段】  録画兼再生装置は、物の像を表わす複数の画像データを受付ける処理部１０２と、複数の画像データそれぞれに、フレームレートを表わすデータを付加するフレームレート部１０５と、フレームレート部１０５がフレームレートを表わすデータを付加した画像データを記録するリードライト部１０６とを含む。【選択図】        図１
2006180072.tif 000002
【特許請求の範囲】
【請求項１】
物の像を表わす複数の画像データを受付けるための受付手段と、
前記複数の画像データそれぞれに、フレームレートを表わすデータを付加するための付加手段と、
前記付加手段がフレームレートを表わすデータを付加した画像データを記録するための記録手段とを含む、録画装置。
【請求項２】
前記録画装置は、前記複数の画像データそれぞれが表わす画像の、表示の条件を表わす情報を生成するための生成手段をさらに含み、
前記記録手段は、前記生成手段が生成した情報および前記画像データを対応付けて記録するための手段を含む、請求項１に記載の録画装置。
【請求項３】
前記付加手段は、前記画像データのうち画素の内容を表わすデータの後に、前記フレームレートを表わすデータを付加するための手段を含む、請求項１に記載の録画装置。
【請求項４】
前記画素の内容を表わすデータの後は、前記画素の内容を表わすデータの末尾を表わすデータの後を含む、請求項３に記載の録画装置。
【請求項５】
前記画像の表示の条件を表わす情報は、前記画像の表示の順序を表わす情報を含む、請求項２に記載の録画装置。
【請求項６】
前記画像の表示の条件を表わす情報は、
前記画像の表示の順序を表わす情報と、
フレームレートを表わす情報とを含む、請求項２に記載の録画装置。
【請求項７】
前記フレームレートを表わすフレームレートデータは、前記フレームレートデータを付加した画像データが表わす第１の画像を表示する時から、表示の順序が前記第１の画像に続く第２の画像を表示する時までの時間を表わすデータを含む、請求項１に記載の録画装置。
【請求項８】
前記第１の画像を表示する時から前記第２の画像を表示する時までの時間は、前記受付手段が第１の画像の画像データを受付けた時から前記第２の画像の画像データを受付けた時までの時間に等しい時間である、請求項７に記載の録画装置。
【請求項９】
前記録画装置は、前記画像データを分類する情報を生成するための手段をさらに含み、
前記記憶手段は、前記画像データを分類する情報および画像の表示の順序が続く前記複数の画像データを対応付けて記憶するための手段を含む、請求項１に記載の録画装置。
【請求項１０】
物の像を表わす画像データおよびフレームレートを表わすデータを含む、複数のデータを記録するための記録手段と、
前記画像データが表わす画像を表示するための表示手段と、
前記複数のデータがそれぞれ含むフレームレートを表わすデータを用いて、前記画像データが表わす１つの画像を表示した時から次の画像を表示する時までの時間を決定するための決定手段と、
前記１つの画像を表示した時から次の画像を表示する時までの時間が、前記決定手段が決定した時間に沿うように、前記表示手段を制御するための制御手段とを含む、再生装置。
【発明の詳細な説明】
【技術分野】
【０００１】
本発明は、録画再生システムに用いることができる録画装置および再生装置に関し、特に、フレームレートを変更できる録画装置および再生装置に関する。
【背景技術】
【０００２】
特許文献１には、撮像レンズから入力された入力画像をデジタル画像信号に変換する回路と、デジタル画像信号からなる動画像を、複数種の動画像圧縮方式のいずれかの方式で圧縮処理する動画像圧縮回路と、撮像信号を入力する撮影動作時の状態に応じて、複数種の動画像圧縮方式から所定の動画像圧縮方式を選択して動画像圧縮回路に設定する選択回路とを具備したことを特徴とする電子カメラが開示されている。
【０００３】
図７を参照して、このような電子カメラは、カメラ部１０１と、処理部１０２と、表示部１０３と、時間部１０４と、リードライト部１０６とを含む。カメラ部１０１は、物の像を表わす画像を撮像する。カメラ部１０１は、撮像した画像を電気信号に変換する装置でもある。処理部１０２は、カメラ部１０１が出力した信号を、物の像を表わす複数の画像データとして受付ける。処理部１０２は、受付けた複数の画像データをＪＰＥＧ（Joint Photographic Coding Experts Group）ファイルに圧縮する回路でもある。処理部１０２は、リードライト部１０６が読み出したＪＰＥＧファイルを復元し、電気信号として出力する回路でもある。表示部１０３は、処理部１０２が出力した電気信号に基づき、画像データ（すなわちＪＰＥＧファイル）が表わす画像を表示する。時間部１０４は、所定の時間（この「所定の時間」は、フレームレートにより表わされる）が経過したことを検出する。リードライト部１０６は、記録媒体１０８にＪＰＥＧファイルを記録する。リードライト部１０６は、記録媒体１０８から、ＪＰＥＧファイルを読み出す装置でもある。時間部１０４は、メモリ１１２を含む。メモリ１１２は、フレームレートを記憶する。
【０００４】
特許文献２には、撮影時にカメラからの映像を連写により複数の静止画として撮影し、記録し、記録した複数の静止画を準動画データに変換することにより、固定フレームレートの準動画の録画および再生を実現する装置が開示されている。
【０００５】
特許文献３には、光学系および撮像素子により得られた撮像データを複数のフレームからなる輝度信号と色差信号に変換するＹＣ動画処理回路と、動画データに対して圧縮処理を行ない第１の圧縮符号を生成する第１の圧縮処理回路と、ＹＣ動画データの各フレームに縮小処理を施し縮小動画を生成する画像縮小回路と、縮小動画に対して圧縮処理を行ない第２の圧縮符号を生成する第２の圧縮処理回路と、第１の圧縮符号および第２の圧縮符号を記録する記録装置とを備えたことを特徴とする動画カメラが開示されている。
【０００６】
特許文献４には、動画像データに同じ記録期間の音声データが埋込まれたマルチメディアデータから、音声データと動画像データとを再生するマルチメディアデータ再生装置であって、マルチメディアデータを記憶する記憶回路と、マルチメディアデータからすべての音声データを抽出する抽出回路と、音声データを再生する音声用の再生装置と、動画像データを再生する動画用の再生装置と、音声データ抽出後、動画像データが音声データの再生に合せて同時間帯に再生されるよう音声用の再生装置および動画用の再生装置を制御する制御回路とを備えることを特徴とするマルチメディア再生装置が開示されている。
【特許文献１】特開２００３−１１０９２４号公報
【特許文献２】特開平１０−１２６７４１号公報
【特許文献３】特開２００１−１８９９０９号公報
【特許文献４】特開２００１−３０９３１０号公報
【発明の開示】
【発明が解決しようとする課題】
【０００７】
しかし、前述の特許公報１〜特許公報４に開示された発明では、いずれにも滑らかな動きの録画とデータ量の抑制とを両立しがたいという問題点がある。滑らかな動きの録画を実現するためにはフレームレートを高くする必要があり、かつデータ量を抑制するためにはフレームレートを低くする必要があるためである。滑らかな動きの録画とデータ量の抑制とを両立するためには、録画中にフレームレートを変更する必要がある。特許公報１〜特許公報４に開示された発明では、録画中にフレームレートを変更できない。
【０００８】
本発明は上述の問題点を解決するためになされたものであって、その目的は、録画中にフレームレートを変更できる録画装置および再生装置を提供することにある。
【課題を解決するための手段】
【０００９】
上記目的を達成するために、本発明のある局面にしたがうと、録画装置は、物の像を表わす複数の画像データを受付けるための受付手段と、複数の画像データそれぞれに、フレームレートを表わすデータを付加するための付加手段と、付加手段がフレームレートを表わすデータを付加した画像データを記録するための記録手段とを含む。
【００１０】
すなわち、付加手段は、受付手段が受付けた複数の画像データそれぞれに、フレームレートを表わすデータを付加する。記録手段は、付加手段がフレームレートを表わすデータを付加した画像データを記録する。これにより、録画中にフレームレートが変更されても、その変更を反映しつつ画像を記録することができる。その結果、録画中にフレームレートを変更できる録画装置を提供することができる。
【００１１】
また、上述の録画装置は、複数の画像データそれぞれが表わす画像の、表示の条件を表わす情報を生成するための生成手段をさらに含むことが望ましい。記録手段は、生成手段が生成した情報および画像データを対応付けて記録するための手段を含むことが望ましい。
【００１２】
すなわち、生成手段は、複数の画像データそれぞれが表わす画像の、表示の条件を表わす情報を生成する。記録手段は、付加手段がフレームレートを表わすデータを付加した画像データ、および生成手段が生成した情報を対応付けて記録する。これにより、画像の再生の条件を容易に特定できる。その結果、画像の再生の条件を容易に特定でき、かつ録画中にフレームレートを変更できる録画装置を提供することができる。
【００１３】
また、上述の付加手段は、画像データのうち画素の内容を表わすデータの後に、フレームレートを表わすデータを付加するための手段を含むことが望ましい。
【００１４】
すなわち、付加手段は、受付手段が受付けた複数の画像データそれぞれの、画像データのうち画素の内容を表わすデータの後に、フレームレートを表わすデータを付加する。これにより、録画中にフレームレートを変更した場合、より容易にフレームレートの変更を反映しつつ画像を記録することができる。その結果、より容易に録画中にフレームレートを変更できる録画装置を提供することができる。
【００１５】
また、上述の画素の内容を表わすデータの後は、画素の内容を表わすデータの末尾を表わすデータの後を含むことが望ましい。
【００１６】
すなわち、付加手段は、受付手段が受付けた複数の画像データそれぞれの、画素の内容を表わすデータの末尾を表わすデータの後に、フレームレートを表わすデータを付加する。これにより、録画中にフレームレートを変更した場合、さらに容易にフレームレートの変更を反映しつつ画像を記録することができる。その結果、さらに容易に録画中にフレームレートを変更できる録画装置を提供することができる。
【００１７】
また、上述の画像の表示の条件を表わす情報は、画像の表示の順序を表わす情報を含むことが望ましい。
【００１８】
すなわち、生成手段は、複数の画像データそれぞれが表わす画像の表示の順序を表わす情報を生成する。これにより、画像の再生の順序を容易に特定できる。その結果、画像の再生の順序を容易に特定でき、かつ録画中にフレームレートを変更できる録画装置を提供することができる。
【００１９】
また、上述の画像の表示の条件を表わす情報は、画像の表示の順序を表わす情報と、フレームレートを表わす情報とを含むことが望ましい。
【００２０】
すなわち、生成手段は、複数の画像データそれぞれが表わす画像の表示の順序を表わす情報、およびフレームレートを表わす情報を生成する。記録手段は、付加手段がフレームレートを表わすデータを付加した画像データ、および生成手段が生成した情報を記録する。これにより、画像の再生の順序およびフレームレートを容易に特定できる。画像データに付加された情報とは別に、フレームレートを表わす情報が対応付けられている分、互換性も高くなる。その結果、互換性が高く、画像の再生の順序およびフレームレートを容易に特定でき、かつ録画中にフレームレートを変更できる録画装置を提供することができる。
【００２１】
また、上述のフレームレートを表わすフレームレートデータは、フレームレートデータを付加した画像データが表わす第１の画像を表示する時から、表示の順序が第１の画像に続く第２の画像を表示する時までの時間を表わすデータを含むことが望ましい。
【００２２】
すなわち、付加手段は、受付手段が受付けた複数の画像データそれぞれに、画像データが表わす第１の画像を表示する時から第２の画像を表示する時までの時間を表わすデータを付加する。これにより、録画中にフレームレートを変更した場合、より的確にフレームレートの変更を反映しつつ画像を記録することができる。その結果、より的確に録画中にフレームレートを変更できる録画装置を提供することができる。
【００２３】
また、上述の第１の画像を表示する時から第２の画像を表示する時までの時間は、受付手段が第１の画像の画像データを受付けた時から第２の画像の画像データを受付けた時までの時間に等しい時間であることが望ましい。
【００２４】
すなわち、付加手段は、受付手段が受付けた複数の画像データそれぞれに、受付手段が第１の画像の画像データを受付けた時から第２の画像の画像データを受付けた時までの時間を表わすデータを付加する。これにより、録画中にフレームレートを変更した場合、特に的確にフレームレートの変更を反映しつつ画像を記録することができる。その結果、特に的確に、録画中にフレームレートを変更できる録画装置を提供することができる。
【００２５】
また、上述の録画装置は、画像データを分類する情報を生成するための手段をさらに含むことが望ましい。記録手段は、画像データを分類する情報および画像の表示の順序が続く複数の画像データを対応付けて記録するための手段を含むことが望ましい。
【００２６】
すなわち、分類する情報を生成するための手段は、画像データを分類する情報を生成する。記録手段は、画像データを分類する情報および画像の表示の順序が続く複数の画像データを対応付けて記録する。これにより、画像データの管理が容易となる。その結果、画像データの管理が容易でき、かつ録画中にフレームレートを変更できる録画装置を提供することができる。
【００２７】
本発明の他の局面にしたがうと、再生装置は、物の像を表わす画像データおよびフレームレートを表わすデータを含む、複数のデータを記録するための記録手段と、画像データが表わす画像を表示するための表示手段と、複数のデータがそれぞれ含むフレームレートを表わすデータを用いて、画像データが表わす１つの画像を表示した時から次の画像を表示する時までの時間を決定するための決定手段と、１つの画像を表示した時から次の画像を表示する時までの時間が、決定手段が決定した時間に沿うように、表示手段を制御するための制御手段とを含む。
【００２８】
すなわち、表示手段は、画像データが表わす画像を表示する。決定手段は、複数のデータがそれぞれ含むフレームレートを表わすデータを用いて、画像データが表わす１つの画像を表示した時から次の画像を表示する時までの時間を決定する。制御手段は、１つの画像を表示した時から次の画像を表示する時までの時間が、決定手段が決定した時間に沿うように、表示手段を制御する。これにより、録画中にフレームレートを変更した場合、画像の表示の際、その変更を反映させることができる。その結果、録画中にフレームレートを変更できる再生装置を提供することができる。
【発明の効果】
【００２９】
本発明に係る録画装置および再生装置は、録画中にフレームレートを変更できる。
【発明を実施するための最良の形態】
【００３０】
以下、図面を参照しつつ、本発明の実施の形態について説明する。以下の説明では、同一の部品には同一の符号を付してある。それらの名称および機能も同一である。したがって、それらについての詳細な説明は繰返さない。
【００３１】
図１を参照して、本実施の形態に係る録画兼再生装置は、カメラ部１０１と、処理部１０２と、表示部１０３と、時間部１０４と、フレームレート部１０５と、リードライト部１０６と、受付部１０７とを含む。カメラ部１０１は、物の像を表わす画像を撮像する。カメラ部１０１は、撮像した画像を電気信号に変換する装置でもある。処理部１０２は、カメラ部１０１が出力した信号を、物の像を表わす複数の画像データとして受付ける。処理部１０２は、受付けた複数の画像データをＪＰＥＧ（Joint Photographic Coding Experts Group）ファイルに圧縮する回路でもある。処理部１０２は、リードライト部１０６が読み出したＪＰＥＧファイルを復元し、電気信号として出力する回路でもある。表示部１０３は、処理部１０２が出力した電気信号に基づき、画像データ（すなわちＪＰＥＧファイル）が表わす画像を表示する。時間部１０４は、所定の時間（この「所定の時間」は、フレームレートにより表わされる）が経過したことを検出する。フレームレート部１０５は、ある画像を表示させた後、次の画像を表示させるまでの時間を制御する。フレームレート部１０５は、ある画像を表示させた後、次の画像を表示させるまでの時間を検出する回路でもある。リードライト部１０６は、記録媒体１０８にＪＰＥＧファイルを記録する。リードライト部１０６は、記録媒体１０８から、ＪＰＥＧファイルを読み出す装置でもある。受付部１０７は、ユーザの指令を受付ける。
【００３２】
時間部１０４は、メモリ１１２を含む。メモリ１１２は、フレームレートを記憶する。
【００３３】
フレームレート部１０５は、管理部１１４を含む。管理部１１４は、複数のＪＰＥＧファイルごとに、ファイル名を生成する。
【００３４】
図２を参照して、録画兼再生装置で実行されるプログラムは、フレームレートの変更を伴う録画および再生に関し、以下のような制御構造を有する。
【００３５】
ステップ２００（以下、ステップをＳと略す。）にて、時間部１０４は、フレームレート（メモリ１１４が記憶したフレームレート）により表わされる時間が経過したことを検出する。時間部１０４がそのことを検出すると、カメラ部１０１は、画像を撮像する。カメラ部１０１は、撮像した画像を表わす画像データを出力する。
【００３６】
Ｓ２０２にて、処理部１０２は、カメラ部１０１が出力した複数の画像データをそれぞれ圧縮する。
【００３７】
Ｓ２０４にて、フレームレート部１０５は、カメラ部１０１が出力した複数の画像データそれぞれにフレームレートデータを付加する。
【００３８】
図３を参照して、このときフレームレート部１０５によってフリームレートデータが付加されたデータ（ＪＰＥＧファイル）のフォーマットは、ＳＯＩ（Start of Image）エリア１２０と、ヘッダエリア１２２と、量子化テーブルエリア１２４と、ハフマンテーブルエリア１２６と、標準ＤＣＴ（Discrete Cosine Transform）圧縮エリア１２８と、画像データエリア１３０と、ＥＯＩ（End of Image）エリア１３２と、フレームレートデータエリア１３４とを含む。
【００３９】
ＳＯＩエリア１２０は、イメージデータが始まることを表わす。ヘッダエリア１２２は、ＪＰＥＧファイルの種類を表わす。量子化テーブルエリア１２４は、量子化テーブルの内容を表わす。ハフマンテーブルエリア１２６は、ハフマンテーブルの内容を表わす。標準ＤＣＴ圧縮エリア１２８は、ＤＣＴ方式を用いた圧縮のためのデータを表わす。画像データエリア１３０は、画像を構成するすべての画素それぞれの内容を表わす。ＥＯＩエリア１３２は、画素データ（画素の内容を表わすデータ）の末尾を表わす。フレームレートデータエリア１３４は、フレームレートデータを表わす。フレームレートデータとは、フレームレートを表わすデータのことである。
【００４０】
本実施の形態の場合、フレームレートデータは、フレームレートとして、画像データエリア１３０が表わす画像（すなわちカメラ部１０１が出力した複数の画像データそれぞれが表わす画像。便宜上「第１の画像」と称する。）を表示する時から次に表示されるべき画像（すなわち表示の順序が第１の画像に続く画像。便宜上「第２の画像」と称する。）を表示する時までの時間を表わすこととする。本実施の形態の場合、この時間は、処理部１０２が第１の画像の画像データを受付けた時から第２の画像の画像データを受付けた時までの時間に等しい時間とする。これにより、フレームレート部１０５は、上述した画素データの後（本実施の形態の場合、ＥＯＩエリア１３２の後）に、フレームレートデータを付加することとなる。
【００４１】
Ｓ２０６にて、管理部１１４は、フォルダ名（すなわち、画像データを分類する情報）を生成する。フォルダ名が生成されると、リードライト部１０６は、記録媒体１０８内に、そのフォルダ名のフォルダを作成する。管理部１１４は、複数のＪＰＥＧファイルそれぞれが表わす画像の表示の条件（本実施の形態の場合、この表示の条件は、次の制約に沿うこととする。第１の制約は、画像の表示の順序を表わすことである。本実施の形態において、この順序は、撮像された順番すなわち処理部１０２が複数の画像データを受付けた順序と同一の順序に従う連番とする。第２の制約は、フレームレートを表わすことである。第３の制約は、フレームレートの単位を表わすことである。）を表わすファイル名を生成する。リードライト部１０６は、記録媒体１０８内の上述したフォルダに、管理部１１４が生成したファイル名で、フレームレートデータを含む画像データであるＪＰＥＧファイルを記録する。これにより、記録媒体１０８を装着したリードライト部１０６は、フレームレート部１０５がフレームレートデータを付加した複数の画像データのファイルを、管理部１１４が生成したファイル名それぞれに対応付けて記録することとなる。また、記録媒体１０８を装着したリードライト部１０６は、フォルダ名および画像の表示の順序が続く画像データを対応付けて記録することとなる。
【００４２】
Ｓ２０８にて、受付部１０７は、ユーザの指示を受付ける。
【００４３】
Ｓ２１０にて、時間部１０４は、受付部１０７が受付けた指示がフレームレートの変更を意味するか否かを判断する。フレームレートの変更を意味すると判断した場合（Ｓ２１０にてＹＥＳ）、処理はＳ２１２へと移る。もしそうでないと（Ｓ２１０にてＮＯ）、処理はＳ２１４へと移される。
【００４４】
Ｓ２１２にて、時間部１０４は、フレームレートを変更する。本実施の形態の場合、このことは、時間部１０４がメモリ１１２に新たなフレームレートの値を記憶させることを意味する。
【００４５】
Ｓ２１４にて、時間部１０４は、受付部１０７が受付けた指示が、録画の終了を意味するか否かを判断する。録画の終了を意味すると判断した場合（Ｓ２１４にてＹＥＳ）、処理は終了する。もしそうでないと（Ｓ２１４にてＮＯ）、処理はＳ２００へと移される。
【００４６】
図４を参照して、本実施の形態に係る録画兼再生装置で実行されるプログラムは、画像の再生に関し、以下のような制御構造を有する。
【００４７】
Ｓ２２０にて、リードライト部１０６は、記録媒体１０８から、ＪＰＥＧファイルを、ファイル名が表わす連番が若いファイル順に（先に録画された画像から）読み出す。
【００４８】
Ｓ２２２にて、フレームレート部１０５は、読み出されたＪＰＥＧファイルからフレームレートデータを読み出す。フレームレートデータが読み出されると、フレームレート部１０５は、そのフレームレートデータを用いて、イメージデータエリア１３０が表わす１つの画像を表示した時から次の画像を表示する時までの時間を決定する。時間が決定されると、時間部１０４は、メモリ１１２に読み出したフレームレートデータを記憶させる。これにより、後述の説明から明らかなように、フレームレート部１０５は、複数のＪＰＥＧファイルがそれぞれ含むフレームレートデータを用いて、イメージデータエリア１３０が表わす１つの画像を表示した時から次の画像を表示する時までの時間を決定することとなる。
【００４９】
Ｓ２２４にて、処理部１０２は、画像データを復元する。
【００５０】
Ｓ２２６にて、表示部１０３は、復元された画像データに基づき、画像を表示する。時間部１０４は、１つの画像を表示した時から次の画像を表示する時までの時間が、フレームレート部１０５が決定した時間に沿うように、表示部１０３を制御することとなる。
【００５１】
Ｓ２２８にて、時間部１０４は、画像の表示を終了するか否かを判断する。表示を終了すると判断した場合（Ｓ２２８にてＹＥＳ）、処理は終了する。もしそうでないと（Ｓ２２８にてＮＯ）、処理はＳ２３０へと移される。
【００５２】
Ｓ２３０にて、時間部１０４は、フレームレートデータ（フレームレートデータはメモリ１１２に記憶されている）が表わす時間が経過すると、リードライト部１０６に、記録媒体１０８の画像データを読み出すように信号を出力する。これにより、時間部１０４は、フレームレートデータが表わす時間が経過すると、次の画像データを読み出すようにリードライト部１０６などを制御することとなる。
【００５３】
以上のような構造およびフローチャートに基づく、本実施の形態に係る録画兼再生装置の動作について説明する。
【００５４】
時間部１０４は、フレームレートにより表わされる時間が経過したことを検出する。時間部１０４がそのことを検出すると、カメラ部１０１は、画像を撮像する（Ｓ２００）。画像が撮像されると、処理部１０２は、カメラ部１０１から出力された画像データを圧縮する（Ｓ２０２）。画像データが圧縮されると、フレームレート部１０５は、フレームレートデータを画像データに付加する（Ｓ２０４）。
【００５５】
情報が付加されると、管理部１１４は、フォルダ名（すなわち、画像データを分類する情報）を生成する。フォルダ名が生成されると、リードライト部１０６は、記録媒体１０８内に、そのフォルダ名のフォルダを作成する。フォルダが作成されると、リードライト部１０６は、記録媒体１０８内の上述したフォルダに、ＪＰＥＧファイルを記録する（Ｓ２０６）。記録されたＪＰＥＧファイルのファイル名は、「ＳＨ００１１ＦＲ００６ＰＳ」、「ＳＨ００１１ＦＲ００６ＰＳ」・・・などと表現される。これらのファイル名のうち、「ＳＨ」は同じフォルダ名（このフォルダ名は画像データを分類する情報にあたる）に対応することを表わす。「ＳＨ」に続く３桁の数値は、画像の表示の順序を表わす。「ＦＲ００６ＰＳ」は、フレームレートを表わす。このうち、３桁の数値がフレームレートの値を表わす。たとえばフレームレートが「３」フレーム毎秒の場合、「ＦＲ・・・ＰＳ」の部分は、「ＦＲ００３ＰＳ」となる。「ＦＲ００６ＰＳ」のうち末尾の「ＰＳ」は、フレームレートの単位を表わす。本実施の形態の場合、「ＰＳ」とは”per second”すなわち「１秒あたり」を意味する。
【００５６】
画像データが記録されると、受付部１０７は、ユーザの指示を受付ける（Ｓ２０８）。ユーザの指示が受付けられると、時間部１０４は、受付部１０７が受付けた指示がフレームレートの変更を意味するか否かを判断する（Ｓ２１０）。
【００５７】
図５は、複数の画像データ（録画データ３０１）を撮像中、フレームレートが「６」フレーム毎秒から「３」フレーム毎秒に変更されたことを表わす。図５および後述する図６における「ＦＰＳ」は、「フレーム毎秒」の略称である。この場合、フレームレートの変更を意味すると判断されるので（Ｓ２１０にてＹＥＳ）、時間部１０４は、フレームレートを変更する（Ｓ２１２）。フレームレートが変更されると、Ｓ２００〜Ｓ２１０の処理を経て、時間部１０４は、録画を終了するか否かを判断する（Ｓ２１４）。最終的には録画が終了するので（Ｓ２１４にてＹＥＳ）、処理は終了する。
【００５８】
その後、リードライト部１０６は、記録媒体１０８からＪＰＥＧファイルを読み出す。ＪＰＥＧファイルは、ファイル名が表わす連番が若いファイルから（先に録画された画像から）読み出される（Ｓ２２０）。ＪＰＥＧファイルが読み出されると、フレームレート部１０５は、フレームレートデータを読み出す（Ｓ２２２）。フレームレートデータが読み出されると、処理部１０２は、画像データを復元する（Ｓ２２４）。画像データが復元されると、表示部１０３は、復元された画像データに基づき、画像を表示する（Ｓ２２６）。画像が表示されると、時間部１０４は、表示を終了するか否かを判断する（Ｓ２２８）。当初、表示はまだ終了しないので（Ｓ２２８にてＮＯ）、時間部１０４は、フレームレートデータが表わす時間が経過すると、リードライト部１０６に、記録媒体１０８の画像データを読み出すように信号を出力する（Ｓ２３０）。図６は、この状況（複数の画像データ（録画データ３０２）を再生中、フレームレートを変更すること）を図示したものである。
【００５９】
再生を開始した時のフレームレートは「６」フレーム毎秒である。途中フレームレートを変更した後のフレームレートは「３」フレーム毎秒となる。
【００６０】
その後、Ｓ２２０〜Ｓ２３０の処理を経て、時間部１０４は、表示を終了するか否かを再び判断する（Ｓ２２８）。最終的には、表示を終了するので（Ｓ２２８にてＹＥＳ）、処理は終了する。
【００６１】
以上のようにして、本実施の形態に係る録画兼再生装置は、ＪＰＥＧファイルが含むＥＯＩデータの後にフレームレートデータを付加する。フレームレートデータが付加されるので、録画中であっても、フレームレートを自由に変更できる。フレームレートの変更は、記録媒体の容量やユーザの好みに合せることができる。各画像データにフレームレートデータが付加されるので、一連の画像を録画した時と同じフレームレートで再生できる。同じフレームレートで再生されるので、録画を行った時と同じ速さ、すなわち実時間と同様の速さでの動画を再生できる。このため、録画と同時に音声の録音を行っていた場合でも、再生時には準動画と音声の同時再生は容易に可能である。また、録画されたフレーム画像を表わす画像データは、リムーバルな記録装置にＪＰＥＧファイルとして記録されている。画像データがＪＰＥＧファイルとして記録されているので、静止画としてパーソナルコンピュータなどで再生できる。また、パーソナルコンピュータ用の再生アプリケーションを容易に作成できる。フレームレートデータはＪＰＥＧ画像１枚毎に記録されているので、パーソナルコンピュータ用の再生アプリケーション上でも録画時と同様のフレームレートで再生できる。また、ＥＯＩデータの後にフレームレートデータを付加することは、特別な装置を用いなくても実施できることである。さらに、ＥＯＩデータの後に付加したフレームレートデータは画像そのものには影響を与えない。また、フレームレートを表わすファイル名の画像データが記録される（画像データに付加されたフレームレートの情報とは別に、フレームレートを表わすファイル名の情報が対応付けられている）分、容易に互換性を高めることができる。その結果、容易に互換性を高めることができ、画像の再生の順序およびフレームレートを容易に特定でき、かつ録画中にフレームレートを変更できる録画兼再生装置を提供することができる。
【００６２】
なお、フレームレートデータは、フレームレートとして、イメージデータエリア１３０が表わす画像の直前に表示される画像（この場合、この画像が「第１の画像」となる）を表示する時からイメージデータエリア１３０が表わす画像（この場合、この画像が「第２の画像」となる）を表示する時までの時間を表わしてもよい。これに限らず、フレームレートデータは、フレームレートを表わすデータであれば、その具体的な内容は特に限定されない。
【００６３】
また、処理部１０２は、受付けた複数の画像データをＪＰＥＧ以外の画像データ圧縮技術を使用して圧縮してもよい。ＪＰＥＧ以外の画像データ圧縮技術としては、ＪＰＥＧ２０００などの技術が知られている。
【００６４】
また、Ｓ２０６にて、ＪＰＥＧファイルのファイル名の構成は特に限定されない。たとえば、「ＳＨ００１１ＴＬ１００ＭＳ」であってもよい。このファイル名のうち、「ＳＨ」は同じフォルダ名に対応することを表わす。「ＳＨ」に続く３桁の数値は、画像の表示の順序を表わす。「ＴＬ１００ＭＳ」は、フレームレートを表わす。このうち、３桁の数値がフレームレートの値を表わす。たとえばフレームレートが５０ミリ秒間隔をおく旨である場合、「ＴＬ・・・ＭＳ」の部分は、「ＴＬ０５０ＭＳ」となる。「ＴＬ０５０ＭＳ」のうち末尾の「ＭＳ」は、フレームレートの単位を表わす。本変形例の場合、「ＭＳ」とは「ミリ秒」を意味する。
【００６５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００６６】
【図１】本発明の実施の形態に係る録画兼再生装置の全体構成図である。
【図２】本発明の実施の形態に係るフレームレートの変更を伴う録画処理および再生処理の制御の手順を示すフローチャートである。
【図３】本発明の実施の形態に係るＪＰＥＧファイルのフォーマットを表わす図である。
【図４】本発明の実施の形態に係る画像の再生処理の制御の手順を示すフローチャートである。
【図５】本発明の実施の形態に係るフレームレートの変更の概念を表わす図である。
【図６】本発明の実施の形態に係る画像データの再生を説明する概念図である。
【図７】従来例に係る録画兼再生装置の全体構成図である。
【符号の説明】
【００６７】
１０１  カメラ部、１０２  処理部、１０３  表示部、１０４  時間部、１０５  フレームレート部、１０６  リードライト部、１０７  受付部、１０８  記録媒体、１１２  メモリ、１１４  管理部、１２０  ＳＯＩエリア、１２２  ヘッダエリア、１２４  量子化テーブルエリア、１２６  ハフマンテーブルエリア、１２８  標準ＤＣＴ圧縮エリア、１３０  画像データエリア、１３２  ＥＯＩエリア、１３４  フレームレートデータエリア、３０１，３０２  録画データ。
【図１】
2006180072.tif 000003
【図２】
2006180072.tif 000004
【図３】
2006180072.tif 000005
【図４】
2006180072.tif 000006
【図５】
2006180072.tif 000007
【図６】
2006180072.tif 000008
【図７】
2006180072.tif 000009